(57)【要約】【課題】羽毛を充填したときに表側布地がドーム状に膨張して良好なボリューム感が得られるようにした羽毛布団を提供すること。【解決手段】表側布地と裏側布地５との間に仕切り布６を格子状に設けて複数の空間部７を形成し、各空間部に羽毛を充填する構成において、仕切り布の下端側を裏側布地に縫合するとき、仕切り布を摘まんでアーチ状ひだ部２８を形成し、アーチ状ひだ部２８を仕切り布の下端部ととともに裏側布地に縫合することで、仕切り布の空間部を形成する部分の下端側の長さを上端側の長さ寸法よりも短くしてアーチ状に湾曲させ、空間部に羽毛を充填したときに、表側布地の空間部を覆う部分をドーム状に膨張させるようにしたこと。【選択図】  図１４
2020006027.tif 000002
【特許請求の範囲】
【請求項１】
表側布地と、
所定の高さ寸法を有する帯状であって、前記表側布地の下面側に格子状に配置され上端側が前記表側布地の下面に縫合されることで、前記表側布地の下面側に上面が閉塞されて下面が開放した複数の空間部を区画形成する仕切り布と、
複数の前記空間部の下面側に設けられ上面に前記仕切り布の下端側が縫合されることで複数の前記空間部の下面開口を閉塞するとともに、周辺部が前記表側布地の周辺部に縫合される裏側布地と、
前記仕切り布の下端側が前記裏側布地の上面に縫合されるとき、前記仕切り布の前記空間部を形成する部分をひだ状に折り曲げて前記裏側布地に前記仕切り布の下端側とともに縫合して設けられ、前記仕切り布の下端側の長さを上端側の長さよりも短くする長さ調節部と
を具備したことを特徴とする羽毛布団。
【請求項２】
前記仕切り布の前記空間部を形成する部分には、前記仕切り布の長手方向に対して所定間隔で複数の前記長さ調節部が設けられていることを特徴とする請求項１記載の羽毛布団。
【請求項３】
前記仕切り布はメッシュ状の布地によって形成されていることを特徴とする請求項１又は請求項２記載の羽毛布団。
【請求項４】
表側布地と裏側布地との周辺部を縫合して形成された布団本体内に羽毛を充填して形成される羽毛布団と、この羽毛布団の下側に重合される下側布団とを有し、これら２枚の布団の周辺部が連結手段によって連結される組み合わせ布団において、
前記羽毛布団は請求項１に記載された構成であることを特徴とする組み合わせ布団。
【請求項５】
表側布地の下面側に所定の高さ寸法を有する帯状の仕切り布を格子状に配置し、前記仕切り布の高さ方向の上端側を前記表側布地の下面に縫合し、前記表側布地の下面側に上面が前記表側布地によって閉塞された複数の空間部を区画形成する工程と、
上面が前記表側布地によって閉塞された前記空間部の下面に裏側布地を配置し、この裏側布地の上面に前記仕切り布の下端側を縫合してから、前記表側布地と前記裏側布地の周辺部を縫合する工程と、
前記仕切り布の下端側を前記裏側布地の上面に縫合するとき、前記仕切り布の前記空間部を形成する部分をひだ状に折り曲げて長さ調節部を形成し、この長さ調節部を前記裏側布地に前記仕切り布の下端側とともに縫合して前記仕切り布の下端側の長さを上端側の長さよりも短くする長さ調節部を前記仕切り布の前記空間部を形成する部分に形成する工程と
を具備したことを特徴とする羽毛布団の製造方法。
【発明の詳細な説明】
【技術分野】
【０００１】
この発明は表側布地と裏側布地とを袋状に縫製し、その内部に羽毛が充填される羽毛布団、この羽毛布団の下側に下側布団を重ねた組み合わせ布団及び羽毛布団の製造方法に関する。
【背景技術】
【０００２】
一般に、羽毛布団は表側布地と裏側布地とを重ね合せてこれらの周辺部を縫合して袋状の布団本体とし、この布団本体の空間部に羽毛を充填して形成されている。前記空間部に羽毛を単に充填すると、使用時に羽毛が布団本体の内部で偏ってしまう。そのため、前記空間部を所定の高さ寸法を有する帯状の仕切り布（襠布）によって複数の空間部に区画することで、羽毛の偏りを防止するようにしている。
【０００３】
ところで、前記空間部の容積は、この空間部の周囲を囲む前記仕切り布の高さ寸法と、前記空間部の上面を覆う前記表側布地及び下面を覆う裏側布地とによって設定されることになる。
【０００４】
そのため、前記空間部に羽毛を所定の圧力で充填しても、前記空間部は上述したごとく設定された容積以上に膨張することがほとんどない。とくに、前記表側布地の前記空間部の上面を覆う部分が上方へ大きく膨張し難いばかりか、前記空間部に単に羽毛を充填するだけでは、充填後に前記空間部の形状が維持できないため、羽毛布団に良好なボリューム感を持たせることができないということがある。
【０００５】
そこで、特許文献１に示された従来技術では、前記表側布地の前記仕切り布が交差する部分に、複数のひだ部が前記仕切り布と位置をずらして放射状に、しかも側面形状が三角形状になるよう折り曲げて縫製したタックを設ける。
【０００６】
そして、前記タックによって表側布地の各空間部を形成する上側の部分が下方へたるむのを防止することで、前記空間部の容積を確保し、羽毛布団として外観的に良好なボリューム感を持たせ、しかも各空間部に充填された羽毛に保気性を持たせることができるようにしていた。
【先行技術文献】
【特許文献】
【０００７】
【特許文献１】特許第４０３７７３７号公報
【発明の概要】
【発明が解決しようとする課題】
【０００８】
特許文献１のように、前記表側布地の前記仕切り布が交差する部分に複数のひだ部からなるタックを設ければ、前記仕切り布によって前記表側布地と裏側布地との間に区画形成された空間部が凹みにくくなるから、羽毛布団にある程度のボリューム感を持たせ、しかも各空間部の立体形状を維持し易くなるということがある。
【０００９】
しかしながら、前記表側布地に複数のひだ部からなる前記タックを設けても、前記空間部に羽毛を充填したときに、その圧力で前記仕切り布によって前記表側布地と裏側布地との間に区画形成された前記空間部の容積が増大する構成ではない。
【００１０】
そのため、前記空間部に羽毛を充填しても羽毛布団全体としてのボリューム感をほとんど増大させることができないということがあった。
【００１１】
さらに、複数のひだ部からなる従来の前記タックは、形状が比較的複雑であり、しかも前記表側布地に前記仕切り布の上端を縫製するときに、前記表側布地を縫製することになる。
【００１２】
つまり、前記表側布地の前記仕切り布が交差する部分に、前記タックを縫製しなければならない。前記仕切り布が交差する部分に、前記表側布地を織って前記タックを放射状に縫製する作業は高度な熟練が要求されるだけでなく、縫製作業に多くの手間と時間が掛かることになるから、生産性の低下を招く大きな要因となるということがあった。
【００１３】
この発明は、比較的容易な縫製作業によって羽毛を充填したときのボリューム感を増大させることができるようにした羽毛布団、組み合わせ布団及び羽毛布団の製造方法を提供することにある。
【課題を解決するための手段】
【００１４】
この発明は、
表側布地と、
所定の高さ寸法を有する帯状であって、前記表側布地の下面側に格子状に配置され上端側が前記表側布地の下面に縫合されることで、前記表側布地の下面側に上面が閉塞されて下面が開放した複数の空間部を区画形成する仕切り布と、
複数の前記空間部の下面側に設けられ上面に前記仕切り布の下端側が縫合されることで複数の前記空間部の下面開口を閉塞するとともに、周辺部が前記表側布地の周辺部に縫合される裏側布地と、
前記仕切り布の下端側が前記裏側布地の上面に縫合されるとき、前記仕切り布の前記空間部を形成する部分をひだ状に折り曲げて前記裏側布地に前記仕切り布の下端側とともに縫合して設けられ、前記仕切り布の下端側の長さを上端側の長さよりも短くする長さ調節部と
を具備したことを特徴とする羽毛布団にある。
【発明の効果】
【００１５】
この発明によれば、前記仕切り布の下端を裏側布地に縫合するとき、前記仕切り布をひだ状に折り曲げて縫合することで前記長さ調節部を形成し、前記仕切り布の前記空間部を形成する部分の下端側の長さを上端側の長さよりも短くしたから、その長さに差によって前記仕切り布の前記空間部を形成する部分の上端側が凸状曲線になる。
【００１６】
そのため、前記空間部に羽毛を充填すると、前記凸状曲線によって前記表側布地の前記空間部の上面開口を覆う部分がドーム状に膨張するから、前記仕切り布に前記長さ調節部を形成するという比較的容易な縫製作業によって羽毛布団にボリューム感を持たせたり、弾力性の向上や前記空間部への羽毛の充填量の増大を図ることができる。
【００１７】
また、仕切り布にひだ状の前記長さ調節部を形成するだけであるから、前記表側布地の前記仕切り布の交差する部分にひだ部を放射状に設ける従来構造のように、前記仕切り布の交差部分の感触が損なわれるということもない。
【図面の簡単な説明】
【００１８】
【図１】この発明の一実施の形態に係る組み合わせ布団の斜視図。
【図２】羽毛布団の平面図。
【図３】図２のＡ−Ａ線に沿う断面図。
【図４】図２のＢ−Ｂ線に沿う断面図。
【図５】布団の表側布地の周辺部に形成される各タック及び表側布地の下面側に設けられる仕切り布を説明するための図。
【図６】（ａ）、（ｂ）は第２のタックである端部タックの斜視図。
【図７】（ａ）〜（ｃ）は第２のタックである端部タックの平面図。
【図８】（ａ）、（ｂ）は第２のタックである中途部タックの斜視図。
【図９】（ａ）〜（ｃ）は第２のタックである中途部タックの平面図。
【図１０】（ａ）、（ｂ）は第３のタックのであるコーナ部タック斜視図。
【図１１】（ａ）〜（ｃ）は第３のコーナ部タックの平面図。
【図１２】仕切り布の１つの空間部の一辺を形成した部分の拡大図。
【図１３】（ａ）は仕切り布を摘まんでひだ部を形成し、このひだ部とともに仕切り布の下端を裏側布地に縫合した状態の斜視図、（ｂ）は仕切り布を摘まんで形成されたひだ部を示す断面図。
【図１４】仕切り布によって形成された空間部の一部を示す斜視図。
【発明を実施するための形態】
【００１９】
以下、図面を参照しながらこの発明の一実施の形態を説明する。
【００２０】
図１はこの発明の一実施の形態に係る組み合わせ布団を示す。この組み合わせ布団は羽毛布団１と、この羽毛布団１の下側に周辺部を着脱可能に連結して重合された下側布団２とからなる。
【００２１】
前記羽毛布団１は布団本体３を有する。この布団本体３は図３乃至図５に示すように矩形状の表側布地４と、同じく矩形状の裏側布地５とを重合し、これらの周辺部を縫合して袋状に形成される。
【００２２】
前記布団本体３の内部には、後述するように上端を前記表側布地４に縫合し、下端を前記裏側布地５に縫合した帯状布地からなる仕切り布６が格子状に設けられている。これらの仕切り布６によって、布団本体３の内部は、複数の空間部７に区画形成され、各空間部７には羽毛８（図３，図４に示す）が充填される。
【００２３】
この実施の形態では、前記羽毛布団１には長手方向に４つ、幅方向に３つ、合計で１２個の前記空間部７が区画形成されている。  
【００２４】
なお、この実施の形態では、前記仕切り布６は隣り合う前記空間部７間の通気性を確保するため、メッシュ素材などの通気性を有する布製の素材が用いられる。
【００２５】
前記羽毛布団１の周辺部には、図２に示すように長辺となる一対の側辺の前記仕切り布６の両端部に対応する中途部と、一対の前記側辺の両端部（コーナ部）との、合計で６箇所に、それぞれ第１のホック１１が表側布地４と裏側布地５とを貫通して設けられている。
【００２６】
図１に示すように、前記下側布団２の周辺部には前記第１のホック１１と対応する位置に第２のホック１２が設けられている。そして、前記羽毛布団１と前記下側布団２とは、前記第１のホック１１と前記第２のホック１２とを係着させることで、着脱可能に連結される。
【００２７】
前記表側布地４にはタックが形成されている。このタックは、図５に概略を示すように、前記表側布地４の側辺部の各仕切り布６の端部に対応する位置に形成された第１のタックとしての端部タック１６と、表側布地４の側辺部の長手方向中央部の前記第１のホック１１に対応する位置に形成された、同じく第２のタックとしての中途部タック１７と、前記表側布地４のコーナ部に対応する位置に形成された第３のタックとしてのコーナ部タック１８とからなる。
【００２８】
前記第１のタックの１つである前記端部タック１６は、図６（ａ）、（ｂ）及び図７（ａ）〜（ｃ）に示すように、前記表側布地４の周辺部に、この表側布地４の周方向と交差する方向に沿って縫製された平面形状が三角形状をなした袋状のひだ部２２からなる。それによって、前記端部タック１６が形成された箇所は、前記表側布地４の前記タック１６，１７が形成されていない部分よりも大きな剛性を有することになる。
【００２９】
図６（ａ）、図７（ａ）は前記ひだ部２２を前記表側布地４の外面側から見た図であり、図６（ｂ）、図７（ｂ）は内面側から見た図であり、図７（ｃ）は前記ひだ部２２を折り曲げる前の展開図で、図７（ｃ）において破線Ｘは折り曲げ線を示し、実線Ｙは互いに縫合される縫合線を示す。
【００３０】
袋状の前記ひだ部２２の表側布地４の内面側に位置する下側の部分２２ａには、仕切り布６の長手方向端部の上端が縫着される。また、前記表側布地４の周辺部に位置する、前記ひだ部２２の端部は前記」裏側布地５の周辺部に縫合される。
【００３１】
前記ひだ部２２が前記裏側布地５に縫合されることで、前記ひだ部２２は前記布団本体３の周辺部において、三角形の底辺を下にして厚さ方向に起立した状態になる。それによって、前記ひだ部２２も、その剛性によって前記表側布地４を上方へ隆起させて保持することになる。
【００３２】
前記第２のタックの１つである中途部タック１７は、図８（ａ）、（ｂ）及び図９（ａ）〜（ｃ）に示すように、前記第１のホック１１を挟んで前記表側布地４の周方向に沿って所定間隔で離間するとともに、周方向と交差する方向に縫合された一対の三角形状の第１のひだ部２３及び一対の前記第１のひだ部２３の先端間に折り曲げられた三角形状の第２のひだ部２４とによって形成されている。これらひだ部２３，２４は、前記表側布地４のタックが形成されていない他の部分よりも高い剛性を有する。
【００３３】
図８（ａ）、図９（ａ）は前記中途部タック１７を前記表側布地４の外面から見た図であり、図８（ｂ）、図９（ｂ）は前記表側布地４の内面側から見た図であり図９（ｃ）は縫合する前の展開図である。図９（ｃ）の破線Ｘは折り曲げ線を示し、実線Ｙは縫合線を示す。互いに縫合される縫合線Ｙは、引き出し線を結んで示している。
【００３４】
一対の前記第１のひだ部２３の端部、つまり前記表側布地４の周辺部は前記裏側布地５と縫合される。それによって、一対の前記第１のひだ部２３は前記布団本体３の厚さ方向に起立するから、前記表側布地４の前記空間部７を形成する部分が前記第１のひだ部２３によって上方へ隆起され、さらに前記第２のひだ部２４の剛性によってその隆起状態が維持されることになる。
【００３５】
したがって、角部に前記第１のひだ部２３を有する前記空間部７に羽毛８を充填すれば、前記中途部タック１７の剛性及び表側布地４を隆起させる作用によって前記空間部７に充填された前記羽毛８が前記表側布地４によって圧縮され難くなるから、ボリューム感を持たせることができる。
【００３６】
前記表側布地４のコーナ部に形成された第３のタックである前記コーナ部タック１８は、図１０（ａ）、（ｂ）及び図１１（ａ）〜（ｃ）に示すように、前記コーナ部の一辺と他辺とに、それぞれ前記第１のホック１１を挟んで一対のコーナ用ひだ部２５を各辺と交差する方向に縫製して形成されている。前記表側布地４を折り返して縫製された一対の前記コーナ用ひだ部２５は、前記表側布地４のタックが形成されていない他の部分よりも大きな剛性を備えることになる。
【００３７】
前記表側布地４のコーナ部の端部、つまり一対の前記コーナ用ひだ部２５の端部は前記裏側布地５と縫合される。それによって、一対の前記コーナ用ひだ部２５は前記布団本体３の厚さ方向に沿って起立するから、前記コーナ用ひだ部２５も前記布団本体３の四隅部に位置する前記空間部７を形成する前記表側布地４を隆起させ、前記空間部７にボリューム感を持たせることになる。
【００３８】
前記仕切り布６は上述したように高さ方向の上端側を前記表側布地４の下面に縫合された後、後述するように下端側が前記裏側布地５の上面側に縫合される。  
【００３９】
つまり、前記仕切り布６の下端側を前記裏側布地５の上面側に縫合する際、前記仕切り布６には図１２乃至図１４に示すように上端から下端に行くにつれて高さ寸法が次第に大きくなる長さ調節部としての山形状のアーチ用ひだ部２８を、前記仕切り布６を摘まんで形成する。そして、前記仕切り布６の下端部は前記アーチ用ひだ部２８の下端部とともに折り曲げ、図１３（ａ）及び図１４に示す縫合線２９によって前記裏側布地５の上面に縫合される。
【００４０】
この実施の形態では、前記仕切り布６の前記空間部７を形成する各部分にはそれぞれ３つの前記アーチ用ひだ部２８が形成される。
【００４１】
図１３（ｂ）に示すように、前記仕切り布６を摘まんで形成された前記アーチ用ひだ部２８の側面からの突出高さ（高さ寸法）が前記仕切り布６の高さ方向の上端で０ｍｍ、Ｈで示す下端で１．２ｍｍとし、前記仕切り布６の前記空間部７の一辺を形成する部分の長さを６０ｍｍとすると、前記仕切り布６の、前記空間部７の一辺を形成する部分は上端の長さは６０ｍｍであるが、下端の長さは３つの前記アーチ用ひだ部２８によって上端の長さ寸法よりも短くなる。
【００４２】
つまり、前記仕切り布６の１つの空間部７を形成する部分の下端の長さは、上端の長さに比べて（１．２×２×３）ｍｍ、つまり７．２ｍｍ短くなる。
【００４３】
前記仕切り布６は、格子状に組まれて高さ方向の上端側が前記表側布地４の下面に縫合される。それによって、前記表側布地４の下面側には上面だけが前記表側布地４によって閉塞された複数、この実施の形態では３行４列の、合計で１２個の前記空間部７が形成されている。
【００４４】
上述したように、前記仕切り布６の前記空間部７の各辺を形成する部分は、前記アーチ用ひだ部２８によって下端側の長さ寸法が上端側の長さ寸法に比べて約７．２ｍｍ短くなっている。
【００４５】
そのため、前記空間部７を形成する前記仕切り布６の各辺は、その上端側と下端側との長さ寸法の違いによって図１２乃至図１４に示すように上端側が凸状となるよう湾曲する。つまり、下端側が前記裏側布地５に縫着された前記仕切り布６の上端側は、アーチ状の凸状曲線３１になる。
【００４６】
そして、前記仕切り布６の上端側を前記表側布地４の下面に逢着し、下端側を前記裏側布地５の上面に逢着した後、前記表側布地４と前記裏側布地５の周辺部を上述したように縫合する。
【００４７】
ついで、前記仕切り布６によって形成された複数の前記空間部７に羽毛８を所定の圧力で充填する。前記空間部７に羽毛８が充填されると、その圧力が前記表側布地４の前記空間部７の上面を覆う部分に加わる。
【００４８】
前記表側布地４の前記空間部７の上面を覆う部分の周辺部は前記仕切り布６のアーチ状の前記凸状曲線３１となった上端に連結されている。そのため、前記表側布地４の前記空間部７の上面を覆う部分は前記凸状曲線３１との連結にならって上方に凸曲面状、つまりドーム状に膨張することになる。
【００４９】
このように、前記空間部７に前記羽毛８を充填することで、前記表側布地４の前記空間部７の上面を覆う部分がドーム状に膨張すると、布団本体３にボリューム感を持たせ、外観を向上させることができるばかりか、表側布地４の重さによって羽毛８が圧縮され難い弾力性を備えるから、羽毛８の保気量が少なくなって保温性や通気性が低下するのを防止することができる。
【００５０】
前記表側布地４の前記空間部７の上面を覆う部分をドーム状に膨張させるには、前記仕切り布６の前記空間部７の各辺に対応する部分に、それぞれ複数の前記アーチ用ひだ部２８を形成し、前記仕切り布６の前記空間部７の各辺に対応する部分の幅方向（上下方向）の下端側の長さ寸法を上端側の長さ寸法よりも短くすればよい。
【００５１】
前記アーチ用ひだ部２８の形成は、前記仕切り布６の幅方向の上端を前記表側布地４の下面に縫合した後、前記仕切り布６の幅方向の下端を前記裏側布地５の上面に縫合する際、前記仕切り布６の一部を山形状に摘まんで前記アーチ用ひだ部２８を形成する。
【００５２】
ついで、前記アーチ用ひだ部２８を前記仕切り布６に接合するよう折り曲げ、前記仕切り布６の下端部を前記アーチ用ひだ部２８の下端部とともに前記裏側布地５に縫合するだけでよい。
【００５３】
したがって、前記アーチ用ひだ部２８は、前記仕切り布６の下端部を前記裏側布地５に逢着するとき、作業者が前記仕切り布６を手で摘まんで折り曲げて形成するという簡単さ作業で形成でき、高度な熟練度が要求されることがないから、比較的容易な縫製作業で、能率よく行うことができる。
【００５４】
しかも、前記アーチ用ひだ部２８の形成作業は、前記仕切り布６の下端を前記裏側布地５に縫製するときに同時に行うことができるから、生産性を向上させることができるということもある。
【００５５】
前記仕切り布６に形成する前記アーチ用ひだ部２８の数やその高さを変えることで、前記仕切り布６の上端側に対する下端側の長さを変えることができる。  
【００５６】
前記仕切り布６の上端側に対する下端側の長さを変えれば、前記凸状曲線３１の湾曲度合を変え、前記空間部７に前記羽毛８を充填したときの、前記表側布地４のドーム形状を変えることができる。
【００５７】
つまり、前記羽毛布団１に要求される種々の条件に応じて前記羽毛８を充填したときに、前記表側布地４が変形するドーム形状の湾曲度合いを設定することができるということもある。
【００５８】
図１に示すように、前記羽毛布団１は下側布団２と組み合わせることで、組み合わせ布団として使用されることがある。その場合、羽毛布団１と下側布団２とを連結するために、羽毛布団１の両側中途部とコーナ部とには第１のホック１１が設けられ、下側布団２には第１のホック１１に係着する第２のホック１２が設けられる。
【００５９】
前記第１のホック１１は、中途部タック１７の一対の第１のひだ部２３の間の部分と、前記コーナ部タック１８の一対のひだ部２５の間の部分に設けられている。そのため、第１のホック１１に第２のホック１２を係着しても、前記各ひだ部２３，２５の機能が大きく損なわれることがないから、羽毛布団１を下側布団２と組み合わせて使用しても、羽毛布団１のボリューム感や羽毛８の保気量の低下を招くことがない。
【００６０】
前記羽毛布団１の製造は下記のａ〜ｄの工程順に行われる。
【００６１】
ａ．表側布地４の外周部に第１乃至第３のタック１６〜１８を形成する第１の工程。  
【００６２】
ｂ．表側布地４の下面に仕切り布６の上端側を縫合する第２の工程。  
【００６３】
ｃ．裏側布地５の上面に仕切り布６の下端側を縫合する第３の工程。  
【００６４】
ｄ．表側布地４と裏側布地５の周辺部を縫合する第４の工程  
なお、上述した実施の形態では組み合わせ布団として用いられる羽毛布団を例に挙げて説明したが、組み合わせ布団として用いられることのない羽毛布団であっても、この発明を適用することができる。
【００６５】
また、仕切り布の下端側を上端側よりも長さ寸法を短くしてアーチ状に変形させる長さ調節部として、前記仕切り布に山形状のひだ部を形成する例を挙げて説明したが、長さ調節部としては山形状のひだ部に限られず、前記仕切り布の下端部側だけを山形状以外の形状で摘まんで、前記裏側布地に縫合するようにしてもよく、或いは仕切り布の高さ方向の全長ではなく、下端部側だけを山形状のひだ部に形成して前記裏側布地に縫合するなどしてもよい。
【００６６】
要は、前記長さ調節部は、前記仕切り布の前記空間部を形成する部分の上端側をアーチ状に変形させることができるものであればよい。
【符号の説明】
【００６７】
１…羽毛布団、２…下側布団、３…布団本体、４…表側布地、５…裏側布地、６…仕切り布、７…空間部、８…羽毛、１５…第１のタック、１６…端部タック（第２のタック）、１７…中途部タック（第２のタック）、１８…コーナ部タック（第３のタック）、２８…アーチ用ひだ部（長さ調節部）、３１…凸状曲線。
【図１】
2020006027.tif 000003
【図２】
2020006027.tif 000004
【図３】
2020006027.tif 000005
【図４】
2020006027.tif 000006
【図５】
2020006027.tif 000007
【図６】
2020006027.tif 000008
【図７】
2020006027.tif 000009
【図８】
2020006027.tif 000010
【図９】
2020006027.tif 000011
【図１０】
2020006027.tif 000012
【図１１】
2020006027.tif 000013
【図１２】
2020006027.tif 000014
【図１３】
2020006027.tif 000015
【図１４】
2020006027.tif 000016